(57)【特許請求の範囲】
【請求項１】
車体（１）の後壁に形成されたライセンスプレート取り付け用凹部（１０）に、該凹部（１０）に取り付けられるライセンスプレート（１１）を上方から照明するランプ（１４）を設置し、このランプ（１４）を上方から覆うガーニッシュ（１６）を車体（１）に取り付けた自動車において、
前記凹部（１０）に臨む車体（１）の外板（３）に、該凹部（１０）の左右方向片隅に配置されて後方監視用のカメラ（５）を保持するブラケット（２２）を固着すると共に、このカメラ（５）の上部を、前記外板（３）に着脱可能に取り付けられる前記ガーニッシュ（１６）で覆い、
前記ブラケット（２２）は、前記カメラ（５）を保持するハウジング（２２ａ）と、このハウジング（２２ａ）から延出して前記外板（３）に固着される取り付け片（２２ｂ，２２ｂ′）とで構成されると共に、該ハウジング（２２ａ）が該取り付け片（２２ｂ，２２ｂ′）の取り付け面に対する垂線に対して前記凹部（１０）の中央側に所定角度（θ）傾いていることを特徴とする、自動車の後方監視用カメラの取り付け及び保護構造。
【請求項２】
請求項１記載の自動車の後方監視用カメラの取り付け及び保護構造において、
前記カメラ（５）のレンズ（５ａ）を除く露出面を覆う保護カバー（２３）を前記ガーニッシュ（１６）により保持したことを特徴とする、自動車の後方監視用カメラの取り付け及び保護構造。
【請求項３】
請求項１又は２記載の自動車の後方監視用カメラの取り付け及び保護構造において、
前記カメラ（５）は、前記ランプ（１４）よりも左右方向外側に配置されると共に該ランプ（１４）よりも後方に突出していることを特徴とする、自動車の後方監視用カメラの取り付け及び保護構造。
【発明の詳細な説明】
【０００１】
【産業上の利用分野】
本発明は、車体の後壁に形成されたライセンスプレート取り付け用凹部に、該凹部に取り付けられるライセンスプレートを上方から照明するランプを設置し、このランプを上方から覆うガーニッシュを車体に取り付けた自動車において、前記凹部を利用して後方監視用カメラを取り付けると共に、このカメラへの他物の接触を回避すべく、これを前記ガーニッシュで上方から覆うようにした、自動車の後方監視用カメラの取り付け及び保護構造に関する。
【０００２】
【従来の技術】
かゝる自動車の後方監視用カメラの取り付け及び保護構造は、例えば特開９−２４０３７０号公報に開示されているように、既に知られている。
【０００３】
上記公報に開示されている自動車の後方監視用カメラの取り付け及び保護構造では、車体後壁に、上部に庇を有して前記凹部全体に嵌合されるガーニッシュを着脱可能に取り付け、このガーニッシュに、前記庇の直下で前記カメラを保持するブラケットを固着している。
【０００４】
【発明が解決しようとする課題】
従来の上記構造では、後方監視用カメラがブラケット及びガーニッシュの２部材を介して車体に取り付けられることになるから、前記カメラの取り付け精度に対する集積誤差が大きくなり易く、また前記カメラの簡単な点検や清掃のために、ガーニッシュを車体から取り外す場合でも、カメラがガーニッシュと共に車体から引き離されるため、車体内に配線されるカメラのリード線には上記カメラの引き離しを許容する余分な弛みを付しておく必要があり、そのリード線の弛み部で振動騒音を生ずる虞がある。
【０００５】
本発明は、かゝる事情に鑑みてなされたもので、後方監視用のカメラの取り付け精度に対する集積誤差が小さく、しかもカメラの簡単な点検や清掃は、カメラを動かさず、単にガーニッシュを取り外すだけで行うことができ、したがってカメラのリード線には余分な弛みを付す必要もない、自動車の後方監視用カメラの取り付け及び保護構造を提供することを目的とする。
【０００６】
【課題を解決するための手段】
上記目的を達成するために、本発明は、車体の後壁に形成されたライセンスプレート取り付け用凹部に、該凹部に取り付けられるライセンスプレートを上方から照明するランプを設置し、このランプを上方から覆うガーニッシュを車体に取り付けた自動車において、前記凹部に臨む車体の外板に、該凹部の左右方向片隅に配置されて後方監視用のカメラを保持するブラケットを固着すると共に、このカメラの上部を、前記外板に着脱可能に取り付けられる前記ガーニッシュで覆い、前記ブラケットが、前記カメラを保持するハウジングと、このハウジングから延出して前記外板に固着される取り付け片とで構成されると共に、該ハウジングが該取り付け片の取り付け面に対する垂線に対して前記凹部の中央側に所定角度傾いていることを第１の特徴とする。
【０００７】
この第１の特徴によれば、カメラと外板との間にはブラケットのみが介在するので、カメラの外板に対する取り付け精度の集積誤差を小さく抑え、所定の監視領域に対するカメラの撮影精度を高めることができる。しかもカメラの簡単な点検や清掃を行う際には、ガーニッシュを外板から取り外すことにより、カメラを大きく露出させることができるから、カメラの簡単な点検や清掃を、ガーニッシュ及び保護カバーに邪魔されることなく容易に行うことができ、特に、この場合、カメラは凹部内でブラケットに保持されたまゝに置かれ、外部に引き出す必要がないから、カメラのリード線に余分な弛みを付しておく必要もない。また、カメラがランプとの干渉を避けて凹部の片隅に配置されても、ブラケットの簡単な構造によりカメラの撮影領域を車体後方の所定の監視領域に合わせることができる。
【０００８】
また本発明は、第１の特徴に加えて、前記カメラのレンズを除く露出面を覆う保護カバーを前記ガーニッシュにより保持したことを第２の特徴とする。
【０００９】
この第２の特徴によれば、ガーニッシュがカメラのレンズを除く露出面を保護カバーと協働して覆い、カメラへの他物の接触を防ぐことができる。しかもガーニッシュの取り外しと同時に保護カバーをカメラから外すことができるので、カメラの点検や清掃を、ガーニッシュ及び保護カバーに邪魔されることなく容易に行うことができる。
【００１０】
さらに本発明は、第１又は第２の特徴に加えて、前記カメラが、前記ランプよりも左右方向外側に配置されると共に該ランプよりも後方に突出していることを第３の特徴とする。
【００１１】
【発明の実施の形態】
本発明の実施の形態を、図面に示す本発明の実施例に基づき以下に説明する。
【００１２】
図１は後方監視用カメラを取り付けた自動車の後部斜視図、図２は上記後方監視用カメラの取り付け及び保護構造の分解斜視図、図３は前記カメラ周辺部の分解拡大図、図４は前記カメラ用保護カバーの保持構造の分解斜視図、図５は図２の５−５線断面図、図６は図２の６−６線断面図、図７は前記カメラの保持構造の変形例を示す、図６に対応する断面図である。
【００１３】
先ず図１において、自動車Ａは、車体１の後部にテイルゲート１ａを有しており、このテイルゲート１ａは、車体１の後壁を構成する後部扉２によって開閉される。後部扉２は、鋼板からなる外板３と、この外板３に接着されるリアウインドガラス４とを備えており、その外板３に後方監視用のＣＣＤカメラ５が取り付けられる。このカメラ５に接続されたリード線６は、後部扉２内に配線されて上部ヒンジ部近傍を通り、そして荷室の床上でＴＶチューナ７の入力線８にカプラ９を介して接続される。カメラ５は自動車Ａ後方の所定の監視領域ａを撮影するもので、その映像が運転席のインストルメントパネルに設置されたモニタの画面に映し出されるようになっている。上記リード線６及び入力線８は、図示しないクリップにより車体１の適所に保持される。
【００１４】
図２において、後部扉２の外板３の左右方向中央部に形成されたライセンスプレート取り付け用凹部１０には、ライセンスプレート１１の下部を係止する係止片１２と、同プレート１１の上部をねじ止めするためのねじ孔１３とが設けられ、また夜間、ライセンスプレート１１を上方から照明する左右一対のランプ１４と、これらランプ１４の間にあって後部扉２のロックを解除するロック解除レバー１５とが配設され、さらに一方のランプ１４の外側に隣接して、即ち凹部１０の片隅に前記カメラ５が設置され、このカメラ５とそれの保護カバー２３は、図２から明らかなようにランプ１４よりも後方に突出している。そして、上記ランプ１４、解除レバー１５及びカメラ５を上方から覆う庇状のガーニッシュ１６が外板３に着脱可能に取り付けられる。
【００１５】
ガーニッシュ１６は合成樹脂製で、凹部１０の上縁部及び左右側縁部に適合するように成形され、その下端には、凹部１０の外板３に当接する支持壁１６ａを一体に備える（図５参照）。
【００１６】
また図６に示すように、ガーニッシュ１６の内側面には複数本の連結軸１９が一体に形成される。各連結軸１９は、先端に複数条のスリット２０で分割される銛形の係止爪１９ａを有しており、この係止爪１９ａを外板３の係止孔２１に弾性的に係合させることにより、ガーニッシュ１６は外板３に取り付けられる。係止爪１９ａを半径方向内方に押し縮めれば、これを係止孔２１から離脱させ、ガーニッシュ１６を凹部１０から取り出すことができる。
【００１７】
図２及び図３において、前記カメラ５は、前記ライセンスプレート取り付け用凹部１０で外板３に固着されるブラケット２２に支持され、またカメラ５のレンズ５ａを除く露出面を覆う合成樹脂製の保護カバー２３は前記ガーニッシュ１６により保持されるもので、それらの構造に以下に詳述する。
【００１８】
ブラケット２２は、チャンネル状のハウジング２２ａと、このハウジング２２ａの左右両側壁の後端から延出する一対の取り付け片２２ｂ，２２ｂ′とから構成され、各取り付け片２２ｂ，２２ｂ′にはボルト２６，２６の頭部が固着されている。
【００１９】
ハウジング２２ａにはカメラ５が挿入される。このカメラ５の左右両側壁にハウジング２２ａの左右両側壁をビス２４，２４で緊締することにより、カメラ５はハウジング２２ａに保持される。その際、ハウジング２２ａの左右両側壁の内面に小突起２５，２５が形成され、これらをカメラ５の左右両側面に食い込ませてカメラ５の安定保持を期している。
【００２０】
カメラ５の保持後、前記凹部１０の外板３に穿設されたボルト孔２７，２７に各取り付け片２２ｂ，２２ｂ′のボルト２６，２６を挿通して、これに外板３の内側からナット２８，２８を螺合緊締することにより、各取り付け片２２ｂ，２２ｂ′が外板３に固着される。こうしてカメラ５は、凹部１０の片隅で外板３に取り付けられる。
【００２１】
図５及び図６に示すように、ブラケット２２において、ハウジング２２ａは、取り付け片２２ｂ，２２ｂ′の外板３への取り付け面に対する垂線に対して下向きに且つ凹部１０の中央側に一定角度θ傾けて形成される。
【００２２】
図３〜図５に示すように、保護カバー２３は、カメラ５の前面、下面及びハウジング２２ａの左右両側面をそれぞれ覆う前壁２３ａ、底壁２３ｂ及び左右の側壁２３ｃ，２３ｃからなっており、その前壁２３ａには、カメラ５のレンズ５ａを臨ませる窓孔２９が設けられる。
【００２３】
保護カバー２３の左右両側壁２３ｃ，２３ｃの上端部外側面には前後方向に延びる一対の溝３０，３０が形成されており、これら溝３０，３０にガーニッシュ１６の支持壁１６ａが係合して保護カバー２３を保持するようになっている。即ち、ガーニッシュ１６の支持壁１６ａには切欠き３１が形成されており、この切欠き３１の左右内側縁部が前記一対の溝３０，３０に挿入されるのである。
【００２４】
次に、この実施例の作用について説明する。
【００２５】
カメラ５の取り付けに当たっては、先ず、ブラケット２２のハウジング２２ａにカメラ５を保持させた後、ブラケット２２の取り付け片２２ｂ，２２ｂ′を凹部１０の外板３にボルト２６，２６及びナット２８，２８で固着する。次いで保護カバー２３により、カメラ５の前面、底面、及びブラケット２２の左右両側面を覆い、その状態の保護カバー２３で片手で保持する一方、他方の手でガーニッシュ１６を凹部１０に近づけて、支持壁１６ａの切欠き３１の左右内側縁部を保護カバー２３の溝３０，３０に挿入すると共に、各連結軸１９の係止爪１９ａを外板３の各係止孔２１に係合させる。
【００２６】
かくして、外板３にブラケット２２を介して取り付けられたカメラ５のレンズ５ａを除く露出面は、ライセンスプレート照明用ランプ１４を上方から覆うガーニッシュ１６と保護カバー２３との協働により覆われ、他物との接触から保護される。また保護カバー２３の、窓孔２９を有する前壁２３ａがカメラ５のレンズ５ａを除く前面を覆うことで、夜間、ランプ１４の照明がカメラ５のレンズ５ａ側に回り込むのを防ぐことができ、上記照明によるカメラ５の眩惑が回避される。
【００２７】
しかもカメラ５と外板３との間にはブラケット２２のみが介在するので、カメラ５の外板３に対する取り付け精度の集積誤差を小さく抑え、所定の監視領域ａに対するカメラ５の撮影精度を高めることができる。
【００２８】
カメラ５の簡単な点検や清掃を行う際には、ガーニッシュ１６の連結軸１９の係止爪１９ａを係止孔２１から離脱されて、ガーニッシュ１６を凹部１０から取り出す。こうすると、ガーニッシュ１６の支持壁１６ａで支承された保護カバー２３も同時にカメラ５及びブラケット２２から外れ、カメラ５が大きく露出することになるから、カメラ５の簡単な点検や清掃を、ガーニッシュ１６及び保護カバー２３に邪魔されることなく、容易に行うことができる。特に、この場合、カメラ５は凹部１０内でブラケット２２に保持されたまゝに置かれ、外部に引き出す必要がないから、カメラ５のリード線６に余分な弛みを付しておく必要もなく、したがってリード線６が弛み部で振動音を発生する、といった問題は存在しない。
【００２９】
またカメラ５は、ランプ１４との干渉を避けて凹部１０の片隅に配置されるが、これを支持するブラケット２２では、カメラ５を保持するハウジング２２ａが取り付け片２２ｂ，２２ｂ′の外板３への取り付け面に対する垂線に対して凹部１０の中央側に一定角度θ傾けて形成されているから、ブラケット２２のこのような簡単な構造により、カメラ５の撮影領域を車体１後方の所定の監視領域ａに合わせることができる。
【００３０】
図７は前記カメラ５の保持構造の変形例を示すもので、ブラケット２２のハウジング２２ａの構造が前実施例と一部相違する。即ち、ハウジング２２ａの天井壁の後端に、カメラ５の後端面を受け止めるストッパ壁２２ｄが形成され、これをカメラ５の後端部にビス３２で固着して、カメラ５をハウジング２２ａに保持するものである。その他の構成は、前実施例と同様であり、図７中、前実施例との対応部分には、同一の参照符号を付して、その説明を省略する。
【００３１】
本発明は上記実施例に限定されるものではなく、発明の要旨を逸脱しない範囲で種々の設計変更が可能である。例えば本発明をセダン型自動車に適用することもできる。
【００３２】
【発明の効果】
以上のように本発明の第１の特徴によれば、車体の後壁に形成されたライセンスプレート取り付け用凹部に、該凹部に取り付けられるライセンスプレートを上方から照明するランプを設置し、このランプを上方から覆うガーニッシュを車体に取り付けた自動車において、前記凹部に臨む車体の外板に、該凹部の左右方向片隅に配置されて後方監視用のカメラを保持するブラケットを固着すると共に、このカメラの上部を、前記外板に着脱可能に取り付けられる前記ガーニッシュで覆うので、カメラと外板との間にはブラケットが介在するだけで、カメラの外板に対する取り付け精度の集積誤差を小さく抑え、所定の監視領域に対するカメラの撮影精度を高めることができる。カメラの簡単な点検や清掃を行う際には、ガーニッシュを外板から取り外すだけで、カメラを大きく露出させ、カメラの簡単な点検や清掃を、ガーニッシュ及び保護カバーに邪魔されることなく容易に行うことができる。特に、カメラは凹部内でブラケットに保持されたまゝに置かれ、外部に引き出す必要がないから、カメラのリード線に余分な弛みを付しておく必要もない。
【００３３】
また特に前記ブラケットを、前記カメラを保持するハウジングと、このハウジングから延出して前記外板に固着される取り付け片とで構成すると共に、そのハウジングを取り付け片の取り付け面に対する垂線に対して前記凹部の中央側に所定角度傾けたので、カメラがランプとの干渉を避けて凹部の片隅に配置されても、ブラケットの簡単な構造によりカメラの撮影領域を車体の後方中央部と適正に設定することができる。
【００３４】
また本発明の第２の特徴によれば、第１の特徴に加えて、前記カメラのレンズを除く露出面を覆う保護カバーを前記ガーニッシュにより保持したので、ガーニッシュがカメラのレンズを除く露出面を保護カバーと協働して覆い、カメラへの他物の接触を防ぐことができる。しかもガーニッシュの取り外しと同時に保護カバーをカメラから外すことができるので、カメラの点検や清掃を、ガーニッシュ及び保護カバーに邪魔されることなく容易に行うことができる。
【図面の簡単な説明】
【図１】後方監視用カメラを取り付けた自動車の後部斜視図。
【図２】上記後方監視用カメラの取り付け及び保護構造の分解斜視図。
【図３】前記カメラ周辺部の分解拡大図。
【図４】前記カメラ用保護カバーの保持構造の分解斜視図。
【図５】図２の５−５線断面図。
【図６】図２の６−６線断面図。
【図７】前記カメラの保持構造の変形例を示す、図６に対応する断面図。
【符号の説明】
Ａ・・・・・・自動車
ａ・・・・・・後方監視領域
θ・・・・・・角度
１・・・・・・車体
３・・・・・・外板
５・・・・・・カメラ
５ａ・・・・・レンズ
１０・・・・・ライセンスプレート取り付け用凹部
１１・・・・・ライセンスプレート
１４・・・・・ランプ
１６・・・・・ガーニッシュ
２２・・・・・ブラケット
２２ａ・・・・ハウジング
２２ｂ，２２ｂ′・・・取り付け片
２３・・・・・保護カバー
【図１】
0003626704.tif 000002
【図２】
0003626704.tif 000003
【図３】
0003626704.tif 000004
【図４】
0003626704.tif 000005
【図５】
0003626704.tif 000006
【図６】
0003626704.tif 000007
【図７】
0003626704.tif 000008